(57)【特許請求の範囲】
【請求項１】
給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにした一缶二水路式給湯装置であって、開栓に応じ前記熱発生部に点火して前記熱交換部が温湯を供給するものにおいて、
閉栓後の湯温低下に対し、所定間隔時間で、閉栓した後の次の開栓の際に適切な温度にするのに必要な所定時間だけ前記熱発生部に点火するバックアップ燃焼を行なう燃焼制御部と、
前記給湯配管系の受熱管内の湯の微少漏れを検出するセンサとして前記給湯配管系の受熱管内の湯温を検出するための温度センサと、
前記給湯配管系の受熱管内の湯の流れ量が所定量以下の場合として該受熱管内の湯温が前記所定時間経過した後に所定温度に上昇しない場合に前記バックアップ燃焼を終了するよう前記燃焼制御部に指示するバックアップ燃焼指示部とを有することを特徴とする一缶二水路式給湯装置。
【請求項２】
給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにし、開栓に応じ前記熱発生部に点火して前記熱交換部が温湯を供給する一缶二水路式給湯装置の制御方法において、
燃焼制御部が、閉栓後の湯温低下に対し、所定間隔時間で、閉栓した後の次の開栓の際に適切な温度にするのに必要な所定時間だけ前記熱発生部に点火してバックアップ燃焼を行なっているときに、前記給湯配管系の受熱管内の湯の微少漏れが生じた場合として該受熱管内の湯温が前記所定時間経過した後に所定温度に上昇しない場合に、バックアップ燃焼指示部が、前記バックアップ燃焼を終了するよう前記燃焼制御部に指示することを特徴とする一缶二水路式給湯装置の制御方法。
【請求項３】
給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにした一缶二水路式給湯装置であって、開栓に応じ前記熱発生部に点火して前記熱交換部が温湯を供給するものにおいて、
閉栓後の湯温低下に対し、所定間隔時間で、閉栓した後の次の開栓の際に適切な温度にするのに必要な所定時間だけ前記熱発生部に点火するバックアップ燃焼を行なう燃焼制御部と、
前記給湯配管系の受熱管内の湯の流れ量を検出するフローセンサと、
前記給湯配管系の受熱管内の湯温を検出するための温度センサと、
前記給湯配管系の受熱管内の湯の流れ量が所定量以下の場合または該受熱管内の湯温が前記所定時間経過した後に所定温度に上昇しない場合に前記バックアップ燃焼を終了するよう前記燃焼制御部に指示するバックアップ燃焼指示部とを有することを特徴とする一缶二水路式給湯装置。
【請求項４】
給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにした一缶二水路式給湯装置であって、開栓に応じ前記熱発生部に点火して前記熱交換部が温湯を供給するものにおいて、
前記熱発生部の燃焼を制御する燃焼制御部と、
前記熱発生部に一時的に点火するバックアップ燃焼の所定間隔時間を設定するタイマ部と、
前記タイマ部が設定する所定間隔時間の経過時に、閉栓した後の次の開栓の際に適切な温度の温湯にするのに必要な所定時間だけ前記熱発生部に点火するよう前記燃焼制御部に指示するバックアップ燃焼指示部と、
前記給湯配管系の受熱管内の湯温を検出するための温度センサと、を備え、
前記バックアップ燃焼指示部は、前記給湯配管系の受熱管内の湯温が前記所定時間経過した後に所定温度に上昇しない場合に前記バックアップ燃焼を終了するよう燃焼制御部に指示することを特徴とする一缶二水路式給湯装置。
【請求項５】
給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにした一缶二水路式給湯装置であって、開栓に応じ前記熱発生部に点火して前記熱交換部が温湯を供給するものにおいて、
閉栓後の湯温低下を検出する温度センサと、該温度センサで検出される温度情報に基づいて、閉栓した後の次の開栓の際に適切な温度にするのに必要な所定時間だけ前記熱発生部に点火するバックアップ燃焼を行なう燃焼制御部と、
前記給湯配管系の受熱管内の湯の流れ量が所定量以下の場合として該受熱管内の湯温が前記所定時間経過した後に所定温度に上昇しない場合に前記バックアップ燃焼を終了するよう前記燃焼制御部に指示するバックアップ燃焼指示部とを有し、
前記閉栓後の温度低下を検出する温度センサは、前記給湯配管系の受熱管内の湯の微少漏れを検出するセンサとして前記受熱管内の湯温を検出するための温度センサを兼ねることを特徴とする一缶二水路式給湯装置。
【発明の詳細な説明】
【０００１】
【発明の属する技術分野】
本発明は、給湯配管系と追焚配管系とに共通して用いられ、給湯配管系の受熱管と追焚配管系の受熱管とが設けられた熱交換部と、この熱交換部を加熱する熱発生部と、上記追焚配管系に接続された浴槽の水を循環させて追焚きするようにした一缶二水路式給湯装置および、その制御方法に関する。
【０００２】
【従来の技術】
近来、台所や風呂などで開栓すると温湯が供給され、しかも諸所にセンサを設けて湯温を管理し、温湯の温度が適切になるように制御される給湯装置が普及している。
単に熱発生部の燃焼と水量を制御しただけでは、閉栓後の温度低下により再度開栓したときに低い温度のぬるま湯や水が出てきて不快であるばかりでなく、適温になるまでに水を捨てたりすることになるので不経済であり、これを解決する手段が各種提案されている。
【０００３】
そのような技術として、例えば、バックアップ開始温度とバックアップ終了温度とを設け、閉栓した後に熱交換部内の湯温がバックアップ開始温度以下になると、熱発生部に点火し、湯温がバックアップ終了温度になると、熱発生部を消火するようにして、間欠的に熱発生部に点火してバックアップ燃焼を行い、熱交換部内の湯温を適切な温度に維持するものがある。
【０００４】
【発明が解決しようとする課題】
しかしながら、このような従来の技術では、バックアップ燃焼中において、給湯栓が開かれていて、熱交換部内の湯が微少漏れを起こしている場合、熱発生部の燃焼熱が給湯配管系の受熱管内を流れる水によって奪われるため、温度の上昇速度が遅くなり、所定時間経過してもバックアップ終了温度にならないために、長時間に渡り、熱発生部に点火し続ける不具合が発生するおそれがあるという問題点があった。
【０００５】
本発明は、このような従来の技術が有する問題点に着目してなされたもので、バックアップ燃焼中に、熱交換部内の湯が微少漏れをした場合に、バックアップ燃焼を終了することができるようにした給湯装置および、その制御方法を提供することを目的としている。
【０００６】
【課題を解決するための手段】
かかる目的を達成するための本発明の要旨とするところは、次の各項の発明に存する。
［１］  給湯配管系（１０）と追焚配管系（２０）とに共通して用いられ、給湯配管系（１０）の受熱管（１１）と追焚配管系（２０）の受熱管（２１）とが設けられた熱交換部（７２）と、この熱交換部（７２）を加熱する熱発生部（７１）と、上記追焚配管系（２０）に接続された浴槽（７６）の水を循環させて追焚きするようにした一缶二水路式給湯装置であって、開栓に応じ前記熱発生部（７１）に点火して前記熱交換部（７２）が温湯を供給するものにおいて、
閉栓後の湯温低下に対し、所定間隔時間で、閉栓した後の次の開栓の際に適切な温度にするのに必要な所定時間だけ前記熱発生部（７１）に点火するバックアップ燃焼を行なう燃焼制御部（５８）と、
前記給湯配管系（１０）の受熱管（１１）内の湯の微少漏れを検出するセンサとして前記給湯配管系（１０）の受熱管（１１）内の湯温を検出するための温度センサ（ＴＨｚ）と、
前記給湯配管系（１０）の受熱管（１１）内の湯の流れ量が所定量以下の場合として該受熱管（１１）内の湯温が前記所定時間経過した後に所定温度に上昇しない場合に前記バックアップ燃焼を終了するよう前記燃焼制御部（５８）に指示するバックアップ燃焼指示部（５６）とを有することを特徴とする一缶二水路式給湯装置。
【０００７】
［２］  給湯配管系（１０）と追焚配管系（２０）とに共通して用いられ、給湯配管系（１０）の受熱管（１１）と追焚配管系（２０）の受熱管（２１）とが設けられた熱交換部（７２）と、この熱交換部（７２）を加熱する熱発生部（７１）と、上記追焚配管系（２０）に接続された浴槽（７６）の水を循環させて追焚きするようにし、開栓に応じ前記熱発生部（７１）に点火して前記熱交換部（７２）が温湯を供給する一缶二水路式給湯装置の制御方法において、
燃焼制御部（５８）が、閉栓後の湯温低下に対し、所定間隔時間で、閉栓した後の次の開栓の際に適切な温度にするのに必要な所定時間だけ前記熱発生部（７１）に点火してバックアップ燃焼を行なっているときに、前記給湯配管系（１０）の受熱管（１１）内の湯の微少漏れが生じた場合として該受熱管（１１）内の湯温が前記所定時間経過した後に所定温度に上昇しない場合に、バックアップ燃焼指示部（５６）が、前記バックアップ燃焼を終了するよう前記燃焼制御部（５８）に指示することを特徴とする一缶二水路式給湯装置の制御方法。
【０００８】
［３］  給湯配管系（１０）と追焚配管系（２０）とに共通して用いられ、給湯配管系（１０）の受熱管（１１）と追焚配管系（２０）の受熱管（２１）とが設けられた熱交換部（７２）と、この熱交換部（７２）を加熱する熱発生部（７１）と、上記追焚配管系（２０）に接続された浴槽（７６）の水を循環させて追焚きするようにした一缶二水路式給湯装置であって、開栓に応じ前記熱発生部（７１）に点火して前記熱交換部（７２）が温湯を供給するものにおいて、
閉栓後の湯温低下に対し、所定間隔時間で、閉栓した後の次の開栓の際に適切な温度にするのに必要な所定時間だけ前記熱発生部（７１）に点火するバックアップ燃焼を行なう燃焼制御部（５８）と、
前記給湯配管系（１０）の受熱管（１１）内の湯の流れ量を検出するフローセンサ（ＦＬ１）と、
前記給湯配管系（１０）の受熱管（１１）内の湯温を検出するための温度センサ（ＴＨｚ）と、
前記給湯配管系（１０）の受熱管（１１）内の湯の流れ量が所定量以下の場合または該受熱管（１１）内の湯温が前記所定時間経過した後に所定温度に上昇しない場合に前記バックアップ燃焼を終了するよう前記燃焼制御部（５８）に指示するバックアップ燃焼指示部（５６）とを有することを特徴とする一缶二水路式給湯装置。
【０００９】
［４］  給湯配管系（１０）と追焚配管系（２０）とに共通して用いられ、給湯配管系（１０）の受熱管（１１）と追焚配管系（２０）の受熱管（２１）とが設けられた熱交換部（７２）と、この熱交換部（７２）を加熱する熱発生部（７１）と、上記追焚配管系（２０）に接続された浴槽（７６）の水を循環させて追焚きするようにした一缶二水路式給湯装置であって、開栓に応じ前記熱発生部（７１）に点火して前記熱交換部（７２）が温湯を供給するものにおいて、
前記熱発生部（７１）の燃焼を制御する燃焼制御部（５８）と、
前記熱発生部（７１）に一時的に点火するバックアップ燃焼の所定間隔時間を設定するタイマ部（５５）と、
前記タイマ部（５５）が設定する所定間隔時間の経過時に、閉栓した後の次の開栓の際に適切な温度の温湯にするのに必要な所定時間だけ前記熱発生部（７１）に点火するよう前記燃焼制御部（５８）に指示するバックアップ燃焼指示部（５６）と、
前記給湯配管系（１０）の受熱管（１１）内の湯温を検出するための温度センサ（ＴＨｚ）と、を備え、
前記バックアップ燃焼指示部（５６）は、前記給湯配管系（１０）の受熱管（１１）内の湯温が前記所定時間経過した後に所定温度に上昇しない場合に前記バックアップ燃焼を終了するよう燃焼制御部（５８）に指示することを特徴とする一缶二水路式給湯装置。
［５］  給湯配管系（１０）と追焚配管系（２０）とに共通して用いられ、給湯配管系（１０）の受熱管（１１）と追焚配管系（２０）の受熱管（２１）とが設けられた熱交換部（７２）と、この熱交換部（７２）を加熱する熱発生部（７１）と、上記追焚配管系（２０）に接続された浴槽（７６）の水を循環させて追焚きするようにした一缶二水路式給湯装置であって、開栓に応じ前記熱発生部（７１）に点火して前記熱交換部（７２）が温湯を供給するものにおいて、
閉栓後の湯温低下を検出する温度センサ（ＴＨｚ）と、該温度センサ（ＴＨｚ）で検出される温度情報に基づいて、閉栓した後の次の開栓の際に適切な温度にするのに必要な所定時間だけ前記熱発生部（７１）に点火するバックアップ燃焼を行なう燃焼制御部（５８）と、
前記給湯配管系（１０）の受熱管（１１）内の湯の流れ量が所定量以下の場合として該受熱管（１１）内の湯温が前記所定時間経過した後に所定温度に上昇しない場合に前記バックアップ燃焼を終了するよう前記燃焼制御部（５８）に指示するバックアップ燃焼指示部（５６）とを有し、
前記閉栓後の温度低下を検出する温度センサ（ＴＨｚ）は、前記給湯配管系（１０）の受熱管（１１）内の湯の微少漏れを検出するセンサとして前記受熱管（１１）内の湯温を検出するための温度センサを兼ねることを特徴とする一缶二水路式給湯装置。
【００１０】
次に、本発明の作用を説明する。
［１］項記載の一缶二水路式給湯装置では、
通常の使用時には、水栓を開栓すると、燃焼制御部（５８）が熱発生部（７１）に点火し、熱交換部（７２）を介して熱発生部（７１）からの熱が給水に伝えられ、温湯が水栓に供給される。
【００１１】
燃焼制御部（５８）が、閉栓後の湯温低下に対し、所定間隔時間で、閉栓した後の次の開栓の際に適切な温度にするのに必要な所定時間だけ熱発生部（７１）に点火してバックアップ燃焼を行なう。それにより、再度開栓したときに、適切な温度の温湯が出湯する。
【００１２】
このバックアップ燃焼の状態において、給湯配管系（１０）の受熱管（１１）内の湯の微少漏れが生じた場合に、温度センサ（ＴＨｚ）が検出する受熱管（１１）内の湯温が所定時間経過した後に所定温度に上昇しないことから、バックアップ燃焼指示部（５６）が、バックアップ燃焼を終了するよう燃焼制御部（５８）に指示する。それにより、微少漏れが生じた後に熱発生部（７１）に点火し続ける不具合を防止することができる。
【００１３】
［２］項記載の一缶二水路式給湯装置の制御方法では、
同じく、バックアップ燃焼の状態において、給湯配管系（１０）の受熱管（１１）内の湯の微少漏れが生じた場合に、温度センサ（ＴＨｚ）が検出する受熱管（１１）内の湯温が所定時間経過した後に所定温度に上昇しないことから、バックアップ燃焼指示部（５６）が、バックアップ燃焼を終了するよう燃焼制御部（５８）に指示する。それにより、微少漏れが生じた後に熱発生部（７１）に点火し続ける不具合を防止することができる。
【００１４】
［３］項記載の一缶二水路式給湯装置では、
バックアップ燃焼の状態において、フローセンサ（ＦＬ１）が給湯配管系（１０）の受熱管（１１）内の湯の微少な流れ量（微少漏れ）を検出した場合または受熱管（１１）内の湯温が所定時間経過した後に所定温度に上昇しないことを温度センサ（ＴＨｚ）が検出した場合に、バックアップ燃焼指示部（５６）が、バックアップ燃焼を終了するよう燃焼制御部（５８）に指示する。それにより、微少漏れが生じた後に熱発生部（７１）に点火し続ける不具合を防止することができる。
【００１５】
［４］項記載の一缶二水路式給湯装置では、
燃焼制御部（５８）は、熱発生部（７１）が適切に燃焼するように制御するものであるが、通常の水栓を開いて温湯を利用する開栓以外にも、保温のためのバックアップ燃焼も行なう。このバックアップ燃焼は、基本的には、タイマ部（５５）による所定間隔時間毎に行なわれ、所定間隔時間の経過時に、バックアップ燃焼指示部（５６）が閉栓した後の次の開栓の際に適切な温度の温湯にするのに必要な所定時間を算出して、熱発生部（７１）に点火するよう燃焼制御部（５８）に指示する。
【００１６】
また、［５］項記載の一缶二水路式給湯装置でも行なわれるように、温度センサ（ＴＨｚ）は、給湯配管（１０）系の受熱管（１１）内の湯温を検出していて、温度センサ（ＴＨｚ）の検出結果から、前記所定時間経過した後に、所定温度に上昇しない場合に、バックアップ燃焼指示部（５６）に伝えて、バックアップ燃焼指示部（５６）が、バックアップ燃焼を終了するよう燃焼制御部（５８）に指示し、適切なバックアップ燃焼が行なわれるようにする。
【００１７】
【発明の実施の形態】
以下、この発明の一実施の形態について図１〜図２を参照して説明する。
図１はこの発明に係る一缶二水路式ガス給湯装置の概略構成を示すものであり、この給湯装置は、一つの缶（図示せず）と、この缶の下部に収容されたガスバーナである熱発生部７１と、缶の上部に収容された熱交換部７２と、熱発生部７１に燃焼空気を供給するためのファン（図示せず）とを有している。上記熱発生部７１にガスを供給する手段は、ガス管７３と、このガス管７３にそれぞれ設けられた主電磁開閉弁７４および電磁比例弁７５とを有している。また、熱発生部７１の近傍には、点火機構（図示）が配置されている。
【００１８】
上記熱発生部７１および熱交換部７２は、給湯配管系１０と追焚配管系２０との両者に共通に用いられている。すなわち、上記熱交換部７２は、多数の薄肉のフインプレート７２ａを有しており、このフインプレート７２ａには給湯配管系１０の給湯水管である受熱管１１と、追焚配管系２０の追焚水管である受熱管２１とがそれぞれ貫通状態で配置されている。
【００１９】
まず、給湯配管系１０について説明すると、上記受熱管１１の入口端には、給湯配管系１０の給水管１２が接続され、出口端には給湯管１３が接続されている。給湯管１３の末端には給湯栓１４が設けられている。また、給水管１２と給湯管１３との間には、２本のバイパス管１５，１６が受熱管１１と並列に設けられている。図１において、バイパス管１５と給水管１２および給湯管１３との接続点が符号Ｐ１，Ｐ２でそれぞれ示され、バイパス管１６と給水管１２および給湯管１３との接続点が符号Ｐ３，Ｐ４でそれぞれ示されている。
【００２０】
熱交換部７２に近い方のバイパス管１５には弁等が設けられておらず、給水管１２内を流れた水は、接続点Ｐ１において受熱管１１側とバイパス管１５側とに常に一定の割合（例えば、７０：３０）で別れる。そして、接続点Ｐ２において再び合流する。
【００２１】
一方、熱交換部７２から遠い方のバイパス管１６には、第１の流量制御弁ＧＭ２が設けられている。この流量制御弁ＧＭ２は、例えば次のように構成されたギアモータ駆動式のものが用いられている。すなわち、ギアモータ駆動式の流量制御弁は、管内に設けられた環状の弁座と、この弁座に対して移動可能な弁体と、この弁体に一端部が固定されたシャフトと、このシャフトの他端部に減速ギヤ列を介して接続されたモータとを有している。上記シャフトは、弁ケースに螺合されている。
【００２２】
したがって、モータが回転すると、シャフトがその軸方向へ移動し、これによって弁体と弁座との間の開度を変えることができるようになっている。したがって、接続点Ｐ３から給湯水管１１側へ流れる水量とバイパス管１６側へ流れる水量との割合は、適宜に変えることができる。なお、流量制御弁ＧＭ２と同様に構成された流量制御弁ＧＭ１が接続点Ｐ２，Ｐ４間の給湯管１３にも設けられている。
【００２３】
上記給湯配管系１０には、第１、第２の二つのフローセンサＦＬ１，ＦＬ２が設けられている。第１のフローセンサＦＬ１は、接続点Ｐ１，Ｐ３間の給水管１２に配置されており、第２のフローセンサＦＬ２は、接続点Ｐ４と給湯栓１４との間の給湯管１３に配置されている。
【００２４】
フローセンサは、例えば、水流をフローセンサ内にある「はね」で受け止め、この「はね」が回転する回転数を、例えばホールＩＣ等により測定するものである。
【００２５】
また、給湯配管系１０には、４つの温度センサＴＨin、ＴＨz 、ＴＨout 、ＴＨmix が設けられている。温度センサＴＨinは、接続点Ｐ３より上流側の給水管１２に配置されており、給水温度を検出する。温度センサＴＨz は、給湯水管１１のベンド部に配置されており、給湯水管１１内の水の温度を検出する。
【００２６】
温度センサＴＨout は、給湯水管１１の出口近傍の給湯管１３に配置されており、給湯水管１１から出る湯の温度を検出する。温度センサＴＨmixは、接続点Ｐ４より下流側の給湯管１３に配置されており、給水栓１４から出る湯の温度を検出する。
【００２７】
一方、上記追焚配管系２０であるが、上記受熱管２１の入口端と浴槽７６との間には復路管２２が接続され、受熱管２１の出口端と浴槽７６との間には往路管２３が接続されている。復路管２２には、ポンプ２４、温度センサＴＨhrおよび流水スイッチＦＳが設けられている。温度センサＴＨhrは、浴槽７６から復路管２２に流入する湯（または水）の温度を検出する。したがって、温度センサＴＨhrは、浴槽７６内の湯の温度を実質的に検出する。
【００２８】
また、流水スイッチＦＳは復路管２２内を湯が流れているか否かを検出するためのものであり、復路管２２内を湯が流れている場合にはＯＮ状態になり、流れていない場合にはＯＦＦ状態になっている。流水スイッチＦＳがＯＦＦ状態のときには、後述する追焚スイッチがＯＮ操作されたとしても、熱発生部７１を点火させないようになっている。
【００２９】
上記給湯配管系１０の給湯管１３と追焚配管系２０の復路管２２との間には、浴槽７６への湯張りのための注湯管３０が設けられており、注湯管３０と給湯管１３および復路管２２との接続点が符号Ｐ５，Ｐ６で示されている。注湯管３０には、電磁開閉弁からなる注湯弁３１が設けられている。
【００３０】
上記給湯装置は、さらに、制御ユニット５０とリモートコントローラ６０とを備えている。制御ユニット５０には、種々の検出手段からの検出信号が入力される。ここでは、温度センサＴＨin、ＴＨz 、ＴＨout 、ＴＨmix 、ＴＨhr、フローセンサＦＬ１，ＦＬ２および流水スイッチＦＳの検出信号が入力されている。なお、以下においては、各検出手段の検出信号には各検出手段と同一の符号を用いるものとする。制御ユニット５０は、各検出信号に基づいて、ガス供給手段の主電磁開閉弁７４および電磁比例弁７５、点火機構、ファン、流量制御弁ＧＭ１，ＧＭ２、ポンプ２４および注湯弁３１を制御する。
【００３１】
一方、リモートコントローラ６０は、運転スイッチ、風呂自動運転スイッチ、追焚スイッチ、温度設定部および表示部（いずれも図示せず）を備えており、これらのスイッチのＯＮ、ＯＦＦ情報、設定温度情報を制御ユニット５０に出力するとともに、これらの情報を表示部に表示する。後述するように、表示部は制御ユニット５０からのエラー情報も表示する。
【００３２】
上記構成の給湯装置を用いて給湯、追焚および自動湯張りを行う場合において、まず給湯を行う場合には、リモートコントローラ６０の運転スイッチをＯＮ状態にし、給湯栓１４を開く。すると、制御ユニット５０は、設定温度、給水管１２に供給される水の給水量ＦＬ１、給水温度ＴＨin、出湯温度ＴＨout および給湯量ＦＬ２に基づいて電磁比例弁７５および流量制御弁ＧＭ１，ＧＭ２を制御する。これにより、出湯栓１４から設定温度に等しい温度の湯が吐出される。
【００３３】
なお、電磁比例弁７５等の制御は、従来のものと同様であり、この発明の要部でもないので、その詳細な説明は省略する。これは、次の追焚および自動湯張りについても同様である。また、給水量ＦＬ１と給湯量ＦＬ２が所定の大きさ以上の差がある場合には、配管中に水漏れがあるものとして、熱発生部７１の燃焼を停止するとともに、表示部がエラーの表示をする。
【００３４】
追焚を行う場合には、リモートコントローラ６０の追焚スイッチをＯＮ状態にする。すると、まずポンプ２４が起動され、浴槽７６内の湯が復路管２２および往路管２３を通って循環する。復路管２２内の湯の流れを流水スイッチＦＳが検出すると、熱発生部７１が点火される。これによって、浴槽７６内の湯が加熱される。そして、温度センサＴＨhrによる検出信号が設定温度に達すると、自動的に熱発生部７１の燃焼が停止されるとともに、ポンプ２４が停止される。
【００３５】
自動湯張りを行う場合には、リモートコントローラ６０の風呂自動運転スイッチをＯＮ状態にする。すると、注湯弁３１が開弁され、給湯水管１１において加熱された湯が注湯管３０を通り、復路管２２および往路管２３を介して浴槽７６に供給される。勿論、浴槽７６に供給される湯の温度が設定温度になるように、制御ユニット５０によって制御される。そして、浴槽７６内に所定の量の湯が溜まると、浴槽７６の水量を検出する検出手段（図示せず）の挨出信号に基づいて注湯弁３１が閉じられるとともに、熱発生部７１の燃焼が停止され、湯張りが終了する。
【００３６】
湯張りの終了後は、浴槽の湯をほぼ一定の温度に維持するための保温運転が行われる。保温運転中は、所定時間毎に追焚が実行される。すなわち、湯張りの終了後、所定時間経過すると、自動的に追焚が行われる。このときの追焚は、追焚スイッチをＯＮにしたときの追焚と同様である。そして、浴槽７６の湯の温度ＴＨhrが設定温度になると追焚が停止し、再度所定時間が経過するまで熱発生部７１およびポンプ２４が停止した待機状態になる。
【００３７】
ここで、制御ユニット５０は、閉栓した後の次の開栓の際に適切な温度の温湯を供給できるよう、閉栓後の湯温低下に対して所定時間だけ熱発生部７１に点火するバックアップ燃焼を行なう機能を有し、当該機能を有する部分の構成は図１に示すとおりである。
【００３８】
制御ユニット５０の当該部位は、後沸き量演算部５２と、放熱量演算部５３と、待機時間設定部５４と、タイマ部５５と、バックアップ燃焼指示部５６と、モード時間指示部５７と、燃焼制御部５８とを有して構成されている。
【００３９】
後沸き量演算部５２は熱発生部７１の燃焼停止時に、その燃焼停止直前の燃焼状態、つまり、ガスの燃焼能力、給湯流量、給水温度、給湯の設定温度等の条件に基づき、燃焼停止後の後沸き量（後沸きとは、燃焼停止後、熱交換部７２の保有熱量が内部の湯に伝わって湯の温度が上昇する現象をいう）を熱量又は熱交換部７２内の湯の後沸き温度の値で算出するものである。この演算にあたっては、理論式を実験によって補正した演算式が用いられる。
【００４０】
放熱量演算部５３は、吸気温度と、通風量と、自然冷却条件等に基づき、放熱量を予め与えられた演算式を用いて時間の関数で求めるものであり、待機時間設定部５４は後沸き量演算部５２で求められた後沸き量と、放熱量演算部５３により求められた放熱量とにより後沸きにより上昇した熱交換部７２内の湯の温度が給湯設定温度の下限許容温度の範囲内で予め設定された下限動作温度（バイパス管１５，１６を有する給湯器では下限動作温度に対応する温度）まで低下する待機時間（所定間隔時間）を演算して、バックアップ燃焼指示部５６に伝えるものである。
【００４１】
タイマ部５５は、バックアップ燃焼モードを続ける特定の時間を設定するものであり、バックアップ燃焼指示部５６は、待機時間設定部５４により算出された待機時間経過後に、開栓されていない状態でも熱発生部７１に点火して所定時間燃焼するよう燃焼制御部５８に指示するものである。また、バックアップ燃焼指示部５６は、待機時間設定部５４により算出された待機時間経過後に熱交換部７２の温度センサＴＨz の指示値が所定以下に下がったとき、バックアップ熱量を発生するのに要する熱発生部７１の燃焼時間を演算し、開栓されていない状態でも熱発生部７１に点火するよう燃焼制御部５８に指示するようにしてもよい。
【００４２】
モード時間指示部５７は、給湯器の使用時間帯や使用頻度等の条件に応じてタイマ部５５に動作時間を指示するものであり、燃焼制御部５８は、給湯栓１４の開栓に応じて熱発生部７１に点火するものであるが、給湯栓１４が閉栓されているときでも、バックアップ燃焼指示部５６の指示に応じて所定間隔時間毎にバックアップ燃焼指示部５６で演算された所定時間だけ熱発生部７１に点火してバックアップ燃焼を行い、下限動作温度（又は下限動作温度に対応する温度）まで低下した熱交換部７２内の湯温を加熱上限温度（又は加熱上限温度に対応する温度）まで高めて燃焼を停止する。
【００４３】
このバックアップ燃焼においては、所定時間の燃焼で、湯温が所定温度（加熱上限温度）になると、熱発生部７１が消火して、所定間隔時間（待機時間設定部５４が算出する待機時間）だけ燃焼しないで、燃焼に間隔を設けるようになっている。しかしながら、このバックアップ燃焼では、給湯栓１４が完全に閉じていないで、微少漏れ（例えば、器具の最低作動流量である２．５ｌ／min 以下の漏れ）があると、所定時間経過した後にも湯温が所定温度（加熱上限温度）に上昇しないで、熱発生部７１が消火しないで、無駄に燃焼をし続けて、エネルギーの無駄使いをすることになる。このような不具合を防止するために、制御ユニット５０によって、次のような制御が実行されている。この制御を図２に示すフローチャートに基づいて説明する。
【００４４】
まず、給湯が行われているときに、給湯栓１４が閉じられると、すなわち、給湯量ＦＬ２が２．５ｌ／min より少なくなると、熱発生部７１が消火して、タイマ部５５がセットされ、バックアップ燃焼モードが開始される（ステップＳ１０１）。
【００４５】
バックアップ燃焼モードにおいては、所定間隔時間（例えば、５分）が経過したかが判断される（ステップＳ１０２）。所定間隔時間経過中は、給湯栓１４が開いたか、すなわち、給湯量ＦＬ２が２．５ｌ／min 以上であるかを判断する（ステップＳ１１０）。給湯栓１４が開かれると、熱発生部７１に点火される（ステップＳ１１１）。燃焼されて、受熱管１１，２１が加熱され（ステップＳ１１２）、通常の給湯モードに移行し、給湯栓１４の閉栓が判断される（ステップＳ１１３）。給湯栓１４が閉栓されると、ステップＳ１０１に移行し、熱発生部７１が消火し、バックアップ燃焼が再開される。
【００４６】
バックアップ燃焼モードにおいて、所定間隔時間が経過すると、熱発生部７１に点火し（ステップＳ１０３）、燃焼が開始され、タイマ部５５がセットされる（ステップＳ１０４）。次に、給湯量ＦＬ２が２．５ｌ／min 以上であるかを判断し（ステップＳ１０５）、２．５ｌ／min 以上であれば、通常の給湯モードに移行し、給湯栓１４の閉栓が判断される（ステップＳ１１３）。
【００４７】
給湯量ＦＬ２が２．５ｌ／min より少ないと、次に、給湯量ＦＬ２が１．０ｌ／min より大きいかを判断し（ステップＳ１０６）、１．０ｌ／min より大きくなければ、タイマ部５５により所定時間経過したかが判断される（ステップＳ１０７）。所定時間経過していなければ、ステップＳ１０５に戻り、給湯量ＦＬ２がチェックされる（ステップＳ１０５〜Ｓ１０６）。
【００４８】
タイマ部５５により所定時間経過していれば、ＴＨz が所定温度（例えば、６０℃）以上であるかを判断し（ステップＳ１０８）、ＴＨz が所定温度より小さければ、熱発生部７１が消火し、バックアップ燃焼が終了する（ステップＳ１０９）。ＴＨz が所定温度より大きければ、ステップＳ１０１に戻り、熱発生部７１が消火し、バックアップ燃焼が再開される。
【００４９】
すなわち、ステップＳ１０５〜Ｓ１０６において、フローセンサＦＬ２が微少漏れ（給湯量ＦＬ２＞１．０）を検出すれば、バックアップ燃焼モードが終了し、また、フローセンサＦＬ２が検出できない、微少量（例えば、給湯量ＦＬ２≦１．０の少量の漏れではフローセンサの「はね」が回転しないため検出できない程度）の漏れがあった場合には、所定時間経過後に、ステップＳ１０８において、ＴＨz が所定温度に上昇しないことを判断して、同じく、バックアップ燃焼モードが終了するので、無駄に燃焼をし続けることがなくなる。
【００５０】
なお、前記実施の形態において、バックアップ燃焼を行う所定時間について、詳細に示していないが、モード時間指示部５７を設け、利用者が初期にモード時間指示部５７を選択モードに設定することで、一定の時間を選択し（選択後に、一定の時間を変更可能にし）てもよく、あるいは、利用者が自動モードに設定することで、朝晩の利用時間帯では例えば給湯燃焼終了後１０分にし、そうでない場合は例えば５分にセットするようにしてもよい。
【００５１】
【発明の効果】
以上説明したように、請求項１および２に係る発明によれば、バックアップ燃焼の状態において、給湯配管系の受熱管内の湯の微少漏れが生じた場合に、温度センサが検出する受熱管内の湯温が所定時間経過した後に所定温度に上昇しないことから、バックアップ燃焼指示部が、バックアップ燃焼を終了すべく燃焼制御部に指示するようにしたので、微少漏れが生じた後に熱発生部に点火し続ける不具合を防止することができる。
【００５２】
請求項３に係る発明によれば、フローセンサが給湯配管系の受熱管内の湯の微少な流れ量を検出した場合または受熱管内の湯温が所定時間経過した後に所定温度に上昇しないことを温度センサが検出した場合に、バックアップ燃焼指示部が、バックアップ燃焼を終了すべく燃焼制御部に指示するようにしたので、同じく、微少漏れが生じた後に熱発生部に点火し続ける不具合を防止することができる。
【００５３】
請求項４および５に係る発明によれば、温度センサが、給湯配管系の受熱管内の湯温を検出していて、温度センサの検出結果から、前記所定時間経過した後に、所定温度に上昇しない場合に、バックアップ燃焼指示部に伝えて、バックアップ燃焼指示部が、バックアップ燃焼を終了すべく燃焼制御部に指示するようにしたので、適切なバックアップ燃焼を行うことができる。
【図面の簡単な説明】
【図１】本発明の一実施の形態に係る一缶二水路式ガス給湯装置の制御部ユニットの要部を示すブロック図である。
【図２】本発明の一実施の形態に係る一缶二水路式ガス給湯装置の概念図である。
【図３】本発明の一実施の形態に係る一缶二水路式ガス給湯装置の追焚き制御の流れ図である。
【符号の説明】
ＴＨz …温度センサ
ＦＬ１，ＦＬ２…フローセンサ
１０…給湯配管系
１１…受熱管
１７…逆止弁
１８…過圧逃がし弁（ブローバルブ）
２０…追焚配管系
２１…受熱管
５０…制御ユニット（追焚き制御部）
５２…後沸き量演算部
５３…放熱量演算部
５４…待機時間設定部
５５…タイマ部
５６…バックアップ燃焼指示部
５７…モード時間指示部
５８…燃焼制御部
６０…リモートコントローラ
７１…熱発生部
７２…熱交換部
７４…主電磁開閉弁
７５…電磁比例弁
【図１】
0003859832.tif 000002
【図２】
0003859832.tif 000003
【図３】
0003859832.tif 000004